(57)【要約】【課題】遊技媒体使用機と遊技媒体回収装置の位置関係によらず遊技媒体が円滑に流下する流下ルートを構築することができる回収受皿及び遊技媒体循環システムを提供すること。【解決手段】遊技媒体使用機から遊技媒体回収装置に向けて流下する遊技媒体を中継する回収受皿６０であって、遊技媒体使用機から流下する遊技媒体を受ける受皿部６２と、受皿部６２に連設され遊技媒体を遊技媒体回収装置に向けて流下する流下口６３と、を備える受皿本体６１と、受皿本体６１を水平方向に回動可能に支持する回動機構と、を備え、回動機構は、受皿本体６１の流下口６３から下方に延設される円筒軸７０と、円筒軸７０を水平方向に回動可能に支持すると共に流下口６３から遊技媒体回収装置に向けて落下する遊技媒体が通過する落下口８１ａを備える受皿ホルダ８０と、を備える。【選択図】図８
2018089052.tif 000002
【特許請求の範囲】
【請求項１】
遊技媒体使用機から遊技媒体回収装置に向けて流下する遊技媒体を中継する回収受皿であって、
上記遊技媒体使用機から流下する上記遊技媒体を受ける受皿部と、上記受皿部に連設され上記遊技媒体を遊技媒体回収装置に向けて流下する流下口と、を備える受皿本体と、
上記受皿本体を水平方向に回動可能に支持する回動機構と、を備える、ことを特徴とする回収受皿。
【請求項２】
請求項１記載の回収受皿において、
上記流下口は上記遊技媒体回収装置の直上に配置され、上記回動機構は上記流下口を中心として上記受皿本体を水平方向に回動可能に支持する、ことを特徴とする回収受皿。
【請求項３】
請求項２記載の回収受皿において、
上記回動機構は、
上記受皿本体の上記流下口から下方に延設される円筒軸と、
上記円筒軸を水平方向に回動可能に支持すると共に上記流下口から上記遊技媒体回収装置に向けて落下する遊技媒体が通過する落下口を備える受皿ホルダと、を備える、ことを特徴とする回収受皿。
【請求項４】
請求項３記載の回収受皿において、
上記受皿ホルダは、上記遊技媒体回収装置上を摺動可能に配設される、ことを特徴とする回収受皿。
【請求項５】
請求項３又は４記載の回収受皿において、
上記円筒軸の外周にはクリック位置決め凸部が突設されており、上記円筒軸の回動に際し上記受皿ホルダに形成された複数のクリック位置決め凹部に上記クリック位置決め凹凸部が選択的に係合してなる、ことを特徴とする回収受皿。
【請求項６】
請求項１ないし５のいずれかに記載の回収受皿において、
上記受皿部は、上記流下口に向かうに連れて下方に傾斜する傾斜面を備える、ことを特徴とする回収受皿。
【請求項７】
請求項１ないし６のいずれかに記載の回収受皿において、
上記受皿本体の外周を取り囲む側壁が立設され、上記側壁の一部が着脱可能に形成される、ことを特徴とする回収受皿。
【請求項８】
複数の遊技媒体使用機が並設される遊技機島内で遊技媒体を循環する遊技媒体循環システムであって、
上記遊技媒体を貯留する貯留タンクと、
上記貯留タンクに貯留された上記遊技媒体を上記遊技機島内に搬送する遊技媒体補給装置と、
上記遊技媒体補給装置と上記遊技媒体使用機の間に介設され、上記遊技媒体を上記遊技媒体補給装置から上記遊技媒体使用機に流下する第１の流下装置と、
上記遊技媒体を回収して上記貯留タンクに搬送する遊技媒体回収装置と、
上記遊技媒体使用機と上記遊技媒体回収装置の間に介設され、上記遊技媒体を上記遊技媒体使用機から上記遊技媒体回収装置に流下する第２の流下装置と、を備え、
上記第２の流下装置は、流下する上記遊技媒体を中継する回収受皿を備え、
上記回収受皿は、
上記遊技媒体使用機から流下する上記遊技媒体を受ける受皿部と、上記受皿部に連設され上記遊技媒体を遊技媒体回収装置に向けて流下する流下口と、を備える受皿本体と、
上記受皿本体を水平方向に回動可能に支持する回動機構と、を備える、ことを特徴とする遊技媒体循環システム。
【発明の詳細な説明】
【技術分野】
【０００１】
本発明は、遊技媒体使用機から遊技媒体回収装置に向けて流下する遊技媒体を中継する回収受皿及びその回収受皿を備えた遊技媒体循環システムに関する。
【背景技術】
【０００２】
複数の遊技媒体使用機（例えばスロットマシン等の遊技機、メダル等を貸し出すメダル貸出機、メダル等を計数する遊技媒体計数機等）が並設された遊技機島には、遊技機島内で遊技媒体例えばメダルを循環させるための遊技媒体循環システムが構築されている。遊技媒体循環システムは、スロットマシンから余剰メダルとして排出されたメダルや遊技媒体計数機から排出されたメダルを遊技媒体回収装置にて回収し、遊技機島端の貯留タンクに一時貯留後、必要に応じて各スロットマシンやメダル貸出機への補給を遊技媒体補給装置により行うものである。
【０００３】
このような遊技媒体循環システムに関する技術として、遊技装置により排出されたコインを貯留する貯留ホッパから回収コンベアに向けて落下したコインを中継する回収ダクトを備えるものが知られている（特許文献１）。この回収ダクトは、筒状部が貯留ホッパのコイン排出口に連通した状態で取り付けられる回収部と、ゴムや合成樹脂、金属などにて蛇腹円筒状に形成されている蛇腹連結材と、回収コンベアの無端ベルトの上方に投入筒部が臨む状態に取り付けられる投入部と、を備えている。回収ダクトは、蛇腹連結材が湾曲性を備えているため、貯留ホッパと回収コンベアの位置関係に応じて蛇腹連結材を湾曲した状態で取り付けることができる。
【０００４】
また、他の遊技媒体循環システムに関する技術として、遊技機の媒体排出口と回収コンベアとの間に介設される遊技機側遊技媒体回収管を備えるものが知られている（特許文献２）。この遊技機側遊技媒体回収管は、湾曲した管部を備える第１管体、第２管体、第３管体からなる可変路が保持手段により保持された状態で介設されており、各管体を回転させ、各管体の湾曲の向きを変化させることにより、遊技機側遊技媒体回収管の延在方向を変えることができる。
【先行技術文献】
【特許文献】
【０００５】
【特許文献１】特開２００５−５９１号公報
【特許文献２】特開２０１５−１２８５１５号公報
【発明の概要】
【発明が解決しようとする課題】
【０００６】
しかし、特許文献１に記載のものは、貯留ホッパと回収コンベアの位置関係に応じて蛇腹連結材を湾曲した状態で取り付けることができるが、貯留ホッパと回収コンベアの位置関係如何によっては角度が急な湾曲部位が形成されることがあり、この湾曲部位を起因としてメダルが滞留するメダル詰まりが発生する虞がある。
【０００７】
また、蛇腹連結材の長さは、長すぎると蛇腹連結材が撓んでメダルが滞留するメダル詰まりが生じ易くなり、短すぎると蛇腹連結材の谷部が伸びすぎてメダルが谷部に挟まる不具合が生じ易くなる。このため、貯留ホッパと回収コンベアの位置関係に応じて適切な蛇腹連結材の長さに調整する必要があり、設置現場における切断作業に多大な労力と時間を要する虞があった。また、適切な長さであっても回収コンベアが何らかの原因で停止すると蛇腹連結材内にメダルが滞留して重さで垂れ下がり、回収コンベアが再起動しても滞留したままとなる虞があった。
【０００８】
一方、特許文献２に記載のものは、管路に生じる湾曲を第１管体、第２管体、第３管体からなる可変路により構成するもので特許文献１に記載のもののようなメダル詰まりが生じ難いものではあるが、遊技機の媒体排出口と回収コンベアの位置関係が近すぎたり遠すぎたりすると設置することが難しかった。また、構造が複雑で設置作業に多大な労力と時間を要する虞があった。
【０００９】
本発明はこのような事情の下になされたものであり、その目的は遊技媒体使用機と遊技媒体回収装置の位置関係によらず遊技媒体が円滑に流下する流下ルートを構築することができる回収受皿及び遊技媒体循環システムを提供することにある。
【課題を解決するための手段】
【００１０】
上記課題を解決するために、本発明に係る回収受皿は、遊技媒体使用機から遊技媒体回収装置に向けて流下する遊技媒体を中継する回収受皿であって、上記遊技媒体使用機から流下する上記遊技媒体を受ける受皿部と、上記受皿部に連設され上記遊技媒体を遊技媒体回収装置に向けて流下する流下口と、を備える受皿本体と、上記受皿本体を水平方向に回動可能に支持する回動機構と、を備える、ことを特徴とする（請求項１）。
【００１１】
このように構成することによって、遊技媒体使用機と遊技媒体回収装置の位置関係によらず受皿本体の受皿部を遊技媒体使用機方面に向けることができるため、遊技媒体使用機から遊技媒体回収装置までの流下ルートに生じる水平方向の湾曲部位を減少して遊技媒体詰まりの発生を抑制することができる。
【００１２】
この場合、上記流下口は上記遊技媒体回収装置の直上に配置され、上記回動機構は上記流下口を中心として上記受皿本体を水平方向に回動可能に支持してもよい（請求項２）。
【００１３】
このように構成することによって、遊技媒体使用機から遊技媒体回収装置までの流下ルートに生じる水平方向の湾曲部位を更に減少して遊技媒体詰まりの発生を抑制することができる。
【００１４】
この場合、上記回動機構は、上記受皿本体の上記流下口から下方に延設される円筒軸と、上記円筒軸を水平方向に回動可能に支持すると共に上記流下口から上記遊技媒体回収装置に向けて落下する遊技媒体が通過する落下口を備える受皿ホルダと、を備えてもよい（請求項３）。
【００１５】
このように構成することによって、部品数を減少させて構造を簡単にすることができる。
【００１６】
この場合、上記受皿ホルダは、上記遊技媒体回収装置上を摺動可能に配設される方が好ましい（請求項４）。
【００１７】
このように構成することにより、受皿ホルダの遊技媒体回収装置上の位置決めを容易に調整することができる。
【００１８】
この場合、上記円筒軸の外周にはクリック位置決め凸部が突設されており、上記円筒軸の回動に際し上記受皿ホルダに形成された複数のクリック位置決め凹部に上記クリック位置決め凸部が選択的に係合してなる方が好ましい（請求項５）。
【００１９】
このように構成することによって、受皿本体の向きの調整を容易にすることができ、位置決めを容易にすることができる。
【００２０】
この場合、上記受皿部は、上記流下口に向かうに連れて下方に傾斜する傾斜面を備える方が好ましい（請求項６）。
【００２１】
このように構成することによって、受皿部が受けた遊技媒体を円滑に流下口に流下することができる。
【００２２】
この場合、上記受皿本体の外周を取り囲む側壁が立設され、上記側壁の一部が着脱可能に形成される方が好ましい（請求項７）。
【００２３】
このように構成することによって、受皿部と衝突して跳ね上がったメダルを側壁により跳ね返して円滑に流下口に導くことができる。また、側壁の一部が着脱可能に形成されることにより、側壁を外した部位に流下ルートを構成する他の部材例えば管体を載置することができる。
【００２４】
本発明に遊技媒体循環システムは、複数の遊技媒体使用機が並設される遊技機島内で遊技媒体を循環する遊技媒体循環システムであって、上記遊技媒体を貯留する貯留タンクと、上記貯留タンクに貯留された上記遊技媒体を上記遊技機島内に搬送する遊技媒体補給装置と、上記遊技媒体補給装置と上記遊技媒体使用機の間に介設され、上記遊技媒体を上記遊技媒体補給装置から上記遊技媒体使用機に流下する第１の流下装置と、上記遊技媒体を回収して上記貯留タンクに搬送する遊技媒体回収装置と、上記遊技媒体使用機と上記遊技媒体回収装置の間に介設され、上記遊技媒体を上記遊技媒体使用機から上記遊技媒体回収装置に流下する第２の流下装置と、を備え、上記第２の流下装置は、流下する上記遊技媒体を中継する回収受皿を備え、上記回収受皿は、上記遊技媒体使用機から流下する上記遊技媒体を受ける受皿部と、上記受皿部に連設され上記遊技媒体を遊技媒体回収装置に向けて流下する流下口と、を備える受皿本体と、上記受皿本体を水平方向に回動可能に支持する回動機構と、を備える、ことを特徴とする（請求項８）。
【発明の効果】
【００２５】
本発明の回収受皿及び遊技媒体循環システムによれば、遊技媒体使用機と遊技媒体回収装置の位置関係によらず遊技媒体が円滑に流下する流下ルートを構築することができる。
【図面の簡単な説明】
【００２６】
【図１】この発明における遊技機島を示す概略平面図である。
【図２】図１のα−α矢視断面図である。
【図３】図１のβ−β矢視断面図である。
【図４】図２のγ部概略拡大図である。
【図５】図２のζ部概略拡大図である。
【図６】回収シュートの斜視図である。
【図７】延長シュートの斜視図である。
【図８】この発明における回収受皿の分解斜視図である。
【図９】図８のλの方向から見たπ部概略拡大図（ａ），受皿本体を受皿ホルダに取り付けた状態において図８のω部断面を外周側からみた概略拡大図（ｂ）である。
【図１０】一部を想像線で示した第２の流下装置（１１Ａ）付近の斜視図である。
【図１１】一部を想像線で示した第２の流下装置（１１Ｂ）付近の斜視図である。
【図１２】他の実施形態における回収受皿の概略断面図である。
【図１３】他の実施形態における回収受皿の概略断面図である。
【図１４】他の実施形態における回収受皿の概略断面図である。
【図１５】他の実施形態における一部を想像線で示した第２の流下装置付近の斜視図である。
【発明を実施するための形態】
【００２７】
以下、本発明に係る回収受皿６０及びこの回収受皿６０を備えた遊技媒体循環システム４について、図面を参照して説明する。ここでは、遊技媒体循環システム４を遊技ホールにおける遊技機島１に適用した場合について説明する。
【００２８】
図１で示すように、この実施形態における遊技機島１は、スロットマシン２（遊技媒体使用機）とメダル貸出機３（遊技媒体使用機）が交互に複数並設される遊技媒体使用機列５が、手前側から左側に湾曲する曲線上に延在されるＲ島である。遊技媒体使用機列５は、左側に湾曲する曲線上に配置された複数の膳板６上に載置されており、スロットマシン２とメダル貸出機３の間に生じる隙間を台間板（図示せず）で塞いでいる。遊技媒体使用機列５の裏側には、遊技媒体循環システム４が組み込まれている。
【００２９】
スロットマシン２は、図２で示すように、遊技者がメダルを用いて遊技を行うものである。遊技者は、スロットマシン２内にメダルを投入し、レバー２ａ等の操作手段を操作した結果、３列のリールの図柄が予め入賞設定された組み合わせとなったときに、内蔵された貯留部２ｂから相応する枚数のメダルをトレイ２ｃに払い出す。一方で、遊技者がスロットマシン２内にメダルを投入するとメダルは貯留部２ｂに貯留されるが、メダルを投入し続けると貯留部２ｂの最大貯留量を超えオーバーフローする。オーバーフローしたメダルは、図示しない管路を介して筐体の下面の設けられた落下口（図示せず）から、スロットマシン２外に排出される。
【００３０】
メダル貸出機３はスロットマシン２に隣接して配置されている。図３で示すように、メダル貸出機３は、遊技者の所定の操作、例えば遊技者の貨幣投入口（図示せず）への貨幣の投入に応じて、内蔵された貯留部３ａからノズルシュート３ｂを介して所定数のメダルをスロットマシン２のトレイ２ｃ内に貸し出す。また、メダル貸出機１には、メダルを計数する計数装置（図示せず）が内蔵されており、ノズルシュート３ｂの計数投入口３ｃから投入されたメダルを計数することができる。計数装置による計数を終えたメダルは、図示しない管路を介して筐体の下面の設けられた落下口（図示せず）から、メダル貸出機３外に排出される。
【００３１】
遊技媒体循環システム４は、遊技機島１内でメダルを循環するための装置であり、図１〜３に示すように、メダルを貯留する貯留タンク７と、貯留タンク７に貯留されたメダルを遊技機島１内に搬送する遊技媒体補給装置８と、遊技媒体補給装置８とスロットマシン２（メダル貸出機３）の間に介設され、メダルを遊技媒体補給装置８からスロットマシン２（メダル貸出機３）に流下する第１の流下装置９と、メダルを回収して貯留タンク７に搬送する遊技媒体回収装置１０と、スロットマシン２（メダル貸出機３）と遊技媒体回収装置１０の間に介設され、メダルをスロットマシン２（メダル貸出機３）から遊技媒体回収装置１０に流下する第２の流下装置１１Ａ〜１１Ｄと、により主に構成されている。
【００３２】
貯留タンク７は、図１で示すように、遊技媒体回収装置１０により回収されたメダルを貯留可能な容器であって遊技機島１の手前側に備えられた収納ボックス７Ａ内に収容されている。収納ボックス７Ａ内には、貯留タンク７に貯留されたメダルを遊技媒体補給装置８に揚送するリフタ装置（図示せず）、その他メダル洗浄機・脱水機（図示せず）などが収納されている。
【００３３】
遊技媒体補給装置８は、図１〜３で示すように遊技機島１の上部に配置され、貯留タンク７からリフタ装置より揚送されたメダルを遊技機島１内に搬送する装置である。遊技媒体補給装置８は、収納ボックス７Ａから遊技機島１の延在方向に沿って直線状に設置される第１補給ライン８Ａと、手前から２番目のメダル貸出機３付近から遊技機島１の延在方向に沿って直線状に設置される第２補給ライン８Ｂと、を主に備える。第１補給ライン８Ａと第２補給ライン８Ｂは、メダルを搬送するための搬送ベルト（図示せず）と、搬送ベルトを内面側から支持する断面Ｈ形のフレーム（図示せず）と、搬送ベルトを一定方向に駆動させるドライブユニット（図示せず）と、搬送ベルトを上方から覆うカバー体（図示せず）と、を主に備える。なお、図１における矢印の方向はメダルの搬送方向である。
【００３４】
図１で示すように、第２補給ライン８Ｂの搬送方向対向側の端部は、第１補給ライン８Ａの搬送方向側の端部の直下に配置されている。第１補給ライン８Ａの端部まで搬送されたメダルは、第１補給ライン８Ａの端部から第２補給ライン８Ｂの搬送方向対向側の端部に落下して第２補給ライン８Ｂにより搬送される。また、図１で示すように、第２補給ライン８Ｂは、遊技機島１の延在方向に合わせて第１補給ライン８Ａの搬送方向に対して左側に傾斜した向きに配置され搬送方向を変化させている。このように構成すれば、湾曲する曲線上に並設されるスロットマシン２とメダル貸出機３に対し、直線状に形成される第１補給ライン８Ａと第２補給ライン８Ｂを近接させることができる。なお、第２補給ライン８Ｂの搬送方向側の端部まで搬送されたメダルは落下管（図示せず）を介して遊技媒体回収装置１０の第１回収ライン１０Ａ上に落下する構成となっている。
【００３５】
第１の流下装置９は、図１〜３で示すように遊技媒体補給装置８とスロットマシン２（メダル貸出機３）の間に介設され、遊技媒体補給装置８からスロットマシン２（メダル貸出機３）に流下する装置である。第１の流下装置９は、遊技媒体補給装置８により搬送されるメダルを制御部（図示せず）の制御によりフラップ（図示せず）を降下して塞き止めて吐出口（図示せず）から流下させる分配装置９Ａと、分配装置９Ａの吐出口とスロットマシン２（メダル貸出機３）の背面の投入口２ｄ（投入口３ｄ）を連結する中空状の蛇腹管９Ｂと、により主に構成されている。第１の流下装置９により流下されたメダルは、スロットマシン２の貯留部２ｂ（メダル貸出機３の貯留部３ａ）に貯留される。
【００３６】
遊技媒体回収装置１０は、図１〜３で示すように遊技機島１の下部に配置され、第２補給ライン８Ｂから落下管に落下したメダル、スロットマシン２から排出されたメダル及びメダル貸出機３から排出されたメダルを回収して貯留タンク７に搬送する装置である。遊技媒体回収装置１０は、収納ボックス７Ａから遊技機島１の延在方向に沿って直線状に設置される第２回収ライン１０Ｂと、２番目のメダル貸出機３付近から遊技機島１の延在方向に沿って直線状に設置される第１回収ライン１０Ａと、を主に備える。第１回収ライン１０Ａは、図５で示すよう、メダルを搬送するための搬送ベルト１０ｃと、搬送ベルト１０ｃを内面側から支持する断面Ｈ形のフレーム１０ｄと、搬送ベルト１０ｃを一定方向に駆動させるドライブユニット（図示せず）と、搬送ベルト１０ｃを上方から覆うカバー体（図示せず）と、を主に備える。なお、第２回収ライン１０Ｂは、第１回収ライン１０Ａと同様の構成である。図１に示す実施形態では、直線コンベアを複数組み合わせる実施形態を示したが、直線コンベアに代えて曲線コンベアを用いることもできる。
【００３７】
図１で示すように、第２回収ライン１０Ｂの搬送方向対向側の端部は、第１回収ライン１０Ａの搬送方向側の端部の直下に配置されている。第１回収ライン１０Ａの端部まで搬送されたメダルは、第１回収ライン１０Ａの端部から第２回収ライン１０Ｂの搬送方向対向側の端部に落下して第２回収ライン１０Ｂにより搬送される。また、図１で示すように、第１回収ライン１０Ａは、遊技機島１の延在方向に合わせて第２回収ライン１０Ｂの搬送方向に対して左側に傾斜した向きに配置され搬送方向を変化させている。このように構成すれば、湾曲する曲線上に並設されるスロットマシン２とメダル貸出機３に対し、直線状に形成される第１回収ライン１０Ａと第２回収ライン１０Ｂを近接させることができる。第２回収ライン１０Ｂの搬送方向側の端部まで搬送されたメダルは貯留タンク７内に落下する。
【００３８】
第２の流下装置１１Ａ〜１１Ｄは、図１〜３で示すように、スロットマシン２（メダル貸出機３）と遊技媒体回収装置１０の間に介設され、メダルをスロットマシン２（メダル貸出機３）から遊技媒体回収装置１０に流下する装置である。第２の流下装置１１Ａは、図２，３，１０で示すように、スロットマシン２から第１回収ライン１０Ａに向けて流下するメダルを中継する回収シュート２０と、回収シュート２０を延長する延長シュート４０と、延長シュート４０から第１回収ライン１０Ａに向けて流下するメダルを中継する回収受皿６０と、により主に構成される。
【００３９】
回収シュート２０は、図４，６で示すように、スロットマシン２から流下するメダルを取り込む第１の取込口２１ａと、取り込んだメダルを流下する第１の排出口２１ｂと、を備える上部シュート２１と、第１の排出口２１ｂから流下するメダルを取り込む第２の取込口３１ａと、取り込んだメダルを遊技媒体回収装置１０に向けて流下する第２の排出口３１ｂと、を備える下部シュート３１と、上部シュート２１に対し下部シュート３１を鉛直方向に回動可能に支持して連結する軸３０と、を備える。
【００４０】
上部シュート２１は、図４，６で示すように、例えばポリアミド樹脂製の中空の矩形筒体２２を備え、上端面の矩形状の開口が第１の取込口２１ａを形成し、下端面の矩形状の開口が第１の排出口２１ｂを形成している。第１の排出口２１ｂは、第１の取込口２１ａより小さい矩形状の開口であって、第１の取込口２１ａの下方かつ遊技機島１の後方向（以下、後方向：図６参照）に偏った位置に形成されている。矩形筒体２２を構成する４面の側壁２３〜２６には、第１の取込口２１ａを形成する上端付近に、膳板６を長方形状に切り抜いて形成された開口に装着する際にねじ止めされる膳板取付部２７が形成されている。
【００４１】
上部シュート２１の矩形筒体２２を構成する４面の側壁２３〜２６のうちの遊技機島１の前方向（以下、前方向：図６参照）の側壁２３は、膳板取付部２７の下方から後方向に傾斜して延設されており、傾斜した側壁２３の内面側に第１の排出口２１ｂに向かうに連れて下り傾斜する傾斜底面２３ａが形成されている。この傾斜底面２３ａの表面には、メダルと傾斜底面２３ａとの間の摩擦を軽減するための凸条２３ｂが流下方向に沿って形成されている。また、側壁２３の外面側には、後述する下部シュート３１のジョイント部３７の係止片３７ｂの上端と当接して下部シュート３１の回動範囲を規制する回動係止部２３ｃが突設されている。
【００４２】
上部シュート２１の矩形筒体２２を構成する４面の側壁２３〜２６のうちの後方向の側壁２５には、矩形状に切り欠いた第１の切欠き部２５ａが下端に形成されている。このように第１の切欠き部２５ａを形成することによって、メダルの排出部位を広げてメダルの流下量を増加することができるため、メダルを上部シュート２１から下部シュート３１に円滑に流下させることができる。また、下部シュート３１の第２の取込口３１ａの配置位置を上げることができるので、回収受皿６０（図２、３参照）までの傾斜角度を大きくすることができ、メダルの流下を促進してメダルの滞留を抑制することができる。
【００４３】
図４、６に示すように上部シュート２１の第１の切欠き部２５ａは、前方向及び後方向に遥動自在に開閉するカバープレート２７により覆われている。カバープレート２７は、矩形状の板体２７ａと、板体２７ａの上端に連結される棒材２７ｂと、棒材２７ｂの両側端部から突設される揺動軸（図示せず）と、から主に構成され、この揺動軸が遊技機島１の延在方向（以下、延在方向）の側壁２６と遊技機島１の手前方向（以下、手前方向）の側壁２４に設けられた軸受穴（図示せず）に支承されている。このように構成することにより、勢い良く流下してきたメダルがカバープレート２７に衝突してメダルの流下速度が減速するため、メダルの飛び出しを抑制することができる。
【００４４】
上部シュート２１の矩形筒体２２を構成する４面の側壁２３〜２６のうちの延在方向の側壁２６と手前方向の側壁２４には、後述する下部シュート３１を鉛直方向（鉛直方向又は鉛直方向を含む方向）に回動自在に軸支する軸３０が延在及び手前方向に突設されている（図６参照）。
【００４５】
下部シュート３１は、図４，６で示すように、例えばポリカーボネート製の中空の矩形筒体３２を備え、上端面の矩形状の開口が第２の取込口３１ａを形成し、下端面の矩形状の開口が第２の排出口３１ｂを形成している。第２の取込口３１ａと第２の排出口３１ｂは同じ大きさの開口であって、上述した上部シュート２１の第１の排出口２１ｂより若干大きい開口である。矩形筒体３２を構成する４面の側壁３３〜３６のうちの下方向の側壁３３と上方向の側壁３５には、後述する延長シュート４０を連結するための連結係合凸部３３ｂ，３５ｂが外面側に突設されている。
【００４６】
下部シュート３１における矩形筒体３２の第２の取込口３１ａ側には、図４，６で示すように、上部シュート２１の下部が挿入可能なジョイント部３７が配設されている。ジョイント部３７は、矩形筒体３２を構成する４面の側壁３３〜３６のうちの手前方向の側壁３４と延在方向の側壁３６に延設される軸受腕片３７ａと、下方向の側壁３３に延設される係止片３７ｂと、上方向の側壁３５の第２の取込口３１ａ側にスペースを形成するように切り欠かれて形成される第２の切欠き部３７ｃと、により主に構成される。
【００４７】
下部シュート３１の軸受腕片３７ａは、上部シュート２１の軸３０に支持される軸受孔３７ｄが穿設されている。軸受腕片３７ａは、外側への弾性変形が容易になるように、上流端から下流端方向に長方形状に切り欠いて形成された切欠き部３７ｅを備える。
【００４８】
下部シュート３１の係止片３７ｂの上端辺は、下部シュート３１が前方向に回動した際に上部シュート２１の回動係止部２３ｃに当接し、下部シュート３１の前方向への過度の回動を規制することができる。この場合に回動係止部２３ｃは、後方向を０度として鉛直下方を９０度とすると、側壁３３の傾斜角度が約７０度まで回動するように規制している。このように側壁３３の傾斜角度を規制することによって、上部シュート２１の第１の排出口２１ｂから流下してきたメダルを必ず一旦は側壁３３に接触させて、メダルの流下速度を制限することができる。このようにメダルの流下速度を制限することにより、受皿本体６１等からのメダルの飛び出しを抑制するとともに、勢いよく流下してきたメダルが直接受皿本体６１に衝突することに伴う受皿本体６１の磨耗や損傷を抑制することができる。また、傾斜角度の増加に伴い、カバープレート２７が第２の切欠き部３７ｃを越えて側壁３５の外側へ出てしまうことを防止している。係止片３７ｂの内面側の表面は側壁３３の内面側の表面と面一に形成されており、係止片３７ｂと側壁３３の内面側の表面にメダルと内面との間の摩擦を軽減するための凸条３３ａが流下方向に沿って形成されている。
【００４９】
下部シュート３１の第２の切欠き部３７ｃは、下部シュート３１が鉛直方向（上方向）に回動した際に上部シュート２１との接触を回避するために形成されている。この場合に第２の切欠き部３７ｃは、後方向を０度として鉛直下方を９０度とすると、側壁３３の傾斜角度が約２０度を下回らないように回動を規制している。このように側壁３３の最小傾斜角度を規制することによって、下部シュート３１内を流れるメダルの流下を促進して、メダルの滞留を抑制することができる。また、側壁３５における第２の切欠き部３７ｃ側の端縁は、上述したカバープレート２７が後方向に回動した際に当接してカバープレート２７が第２の切欠き部３７ｃから側壁３５の外側に飛び出すのを防止する。
【００５０】
このように下部シュート３１の矩形筒体３２の流入側にジョイント部３７が配設されることによって、下部シュート３１の回動位置に関わらず上部シュート２１の第１の排出口２１ｂから流下するメダルをこぼれることなく下部シュート３１の第２の取込口３１ａに流下させることができる。
【００５１】
延長シュート４０は、図４，７で示すように、下部シュート３１の第２の排出口３１ｂから流下するメダルを取り込む第３の取込口４１ａと、取り込んだメダルを遊技媒体回収装置１０に向けて流下する第３の排出口４１ｂと、を備える。
【００５２】
延長シュート４０は、図４，７で示すように、例えばポリカーボネート製の中空の矩形筒体４１を備え、流入側端面の矩形状の開口が第３の取込口４１ａを形成し、排出側端面の矩形状の開口が第３の排出口４１ｂを形成している。第３の取込口４１ａは、下部シュート３１の第２の排出口３１ｂと同じ大きさであって、第３の取込口４１ａと第３の排出口４１ｂは同じ大きさである。
【００５３】
矩形筒体４１を構成する４面の側壁４２〜４５のうちの下方向の側壁４２と上方向の側壁４４には、上述した下部シュート３１の連結係合凸部３３ｂ，３５ｂを係合可能な連結係合開口４２ａ，４４ａが穿設された延長シュート碗部４２ｂ，４４ｂが流入側端部から延設されている。また、側壁４２，４４には、外面側に他の延長シュート４０を連結するための延長シュート連結係合凸部４２ｃ，４４ｃが形成されている。
【００５４】
このように構成される延長シュート４０は、図１０で示すように、他の延長シュート４０の連結係合開口４２ａ，４４ａを延長シュート連結係合凸部４２ｃ，４４ｃに係合することにより他の延長シュート４０と連結することができる。このため、延長シュート４０と後述する回収受皿６０との間の距離が離れている場合、必要な数の延長シュート４０を連結して継ぎ足せば回収受皿６０まで延長することができる。
【００５５】
回収受皿６０は、図５，８で示すように、延長シュート４０の第３の排出口４１ｂ等から流下したメダルを受けて遊技媒体回収装置１０に向けて流下する受皿本体６１と、受皿本体６１の円筒軸７０を回動可能に支持する受皿ホルダ８０と、遊技媒体回収装置１０に受皿ホルダ８０を取り付けるための受皿ホルダ押さえ具９０と、から主に構成される。受皿本体６１は、受皿本体６１の外周を取り囲む側壁６５〜６７と、受皿本体６１から下方に延設される円筒軸７０とが、一体に形成され、受皿本体６１の外周を取り囲む側壁６４が着脱可能に取り付けられている。
【００５６】
受皿本体６１は、例えばポリカーボネート製であって、図５，８で示すように、上述した延長シュート４０の第３の排出口４１ｂから流下するメダルを受ける長方形板状の受皿部６２と、受皿部６２の最下位置に形成されメダルを遊技媒体回収装置１０に向けて流下する円形の流下口６３と、を備えている。この受皿部６２は、流下口６３に向かうに連れて下方に傾斜する傾斜面６２ａを備えている。傾斜面６２ａを備えることにより、延長シュート４０から流下して受けたメダルを円滑に流下口６３まで流下させることができる。この傾斜面６２ａの表面には、メダルと傾斜面６２ａとの間の摩擦を軽減するための凸条６２ｂが流下方向に沿って形成されている。
【００５７】
側壁６４〜６７は、図５，８で示すように、受皿本体６１の外周を取り囲むように立設された４枚の板状体で構成される。受皿本体６１の外周を取り囲む側壁６４〜６７が立設されることにより、勢い良く流下して受皿部６２と衝突して跳ね上がったメダルを跳ね返して円滑に流下口６３に導くことができる。この場合、側壁６５，６７は受皿部６２からメダルの流下方向に沿って立設され、側壁６６は側壁６５，６７と共に流下口６３を囲むように受皿部６２の側端部から立設されている。このように構成される側壁６５〜６７は受皿本体６１と一体に形成されている。
【００５８】
図８で示すように、受皿部６２の上り側の側端部に立設される側壁６４は、受皿本体６１から分離して着脱可能に形成されており、例えばポリカーボネート製である。側壁６４は、側壁６５及び６７の内法と同等の横幅に形成される矩形板状の蓋体６４ａと、蓋体６４ａの側方の両端部に突設される矩形板状のスライダ６４ｂと、下方向の端部に弾性変形可能に形成された係合フック６４ｃと、により主に構成される。側壁６４は、側壁６５，６７の内面側に形成された案内溝６５ａ，６７ａにスライダ６４ｂを上方から挿入し、受皿部６２に形成された係合凹部６２ｃに係合フック６４ｃを係合すれば、受皿本体６１に取り付けることができる。側壁６４を取り付けることにより、受皿部６２の上り側の側端部からのメダルの飛び出しを防止することができる。また、側壁６４を取り外すことにより、受皿部６２の上り側の側端部に流下ルートを構成する他の部材、例えば下部シュート３１，延長シュート４０を載置して連結して、メダルを流下口６３に向けて流すことができる。
【００５９】
受皿本体６１の円筒軸７０は、図５，８で示すように、受皿本体６１の流下口６３から下方に延設されており、受皿本体６１を水平方向に回動可能に支持する回動軸となる。円筒軸７０は、流下口６３と同じ大きさの断面円形を有する円柱状の中空が形成された筒状体であって、下端部外周の対向する２カ所にクリック位置決め凸部７１が突設されている。このクリック位置決め凸部７１は、図８，９（ｂ）で示すように、鉛直断面が長方形に切妻状の三角形を付加接合した形状になっており、後述する受皿ホルダ８０に形成された複数のクリック位置決め凹部８８に選択的に係合することができる。また、クリック位置決め凸部７１の左右には下端から上端方向に切り欠く切欠き部７２が形成されている。クリック位置決め凸部７１の左右に切り欠き部７２を形成することにより、クリック位置決め凸部７１が上下に変位する弾性変形を容易にすることができる。
【００６０】
受皿本体６１の切欠き部７２の左右には、図８，９（ｂ）で示すように、フランジ状に外延設部７３が外周側に延設されている。外延設部７３は、鉛直断面が横長の長方形状であって、高さはクリック位置決め凸部７１より切妻状の三角形分低く形成されている。また、外延設部７３とクリック位置決め凸部７１の外周側の端面は、円形の流下口６３と同心円であって流下口６３より大径に形成されている。このように構成される外延設部７３は、受皿ホルダ８０の内延設部８６の下面に形成される複数のクリック位置決め凹部８８の下方に入り込んで受皿本体６１の上方向の移動を規制し、受皿本体６１の受け皿ホルダ８０からの脱落を防止することができる。
【００６１】
受皿ホルダ８０は、図５で示すように、円筒軸７０を水平方向（水平面内又は水平面内を含む方向）に回動可能に支持する軸受となる。受皿ホルダ８０は、例えばポリカーボネート製であって、図５，８で示すように、矩形板状であって中心に流下口６３と同一の大きさの開口であって流下口６３から遊技媒体回収装置１０に向けて落下するメダルが通過する落下口８１ａが形成される基部８１と、基部８１の対向する端辺から下方に延設される一対の脚部８２と、を主に備える。受皿ホルダ８０は、基部８１と一対の脚部８２により下方に開口した断面コの字形に形成され、図５で示すように、遊技媒体回収装置１０のフレーム１０ｄに上方から跨って配設することができる。脚部８２には、図５，８で示すように、後述する受皿ホルダ押さえ具９０の係合フック９２ａが嵌合するための嵌合孔８２ａと、係合フック９２ａを係合するための取付鍔部８２ｂが設けられている。
【００６２】
受皿ホルダ８０の基部８１の上面の落下口８１ａの周縁には、図５，８で示すように、上述した円筒軸７０における外延設部７３の外周側に対応した円形状平面であって、円筒軸７０の下面及び外延設部７３の下面を当接して回動可能に支持する第１の摺動面８３（スラスト摺動面）が形成されている。第１の摺動面８３（スラスト摺動面）の外周側周縁には、凸状に形成される台座部８４が形成されている。台座部８４の内周側側面は、外延設部７３の外周側の端面を当接して回動可能に支持する第２の摺動面８５（ラジアル摺動面）となる。
【００６３】
台座部８４は、図８で示すように、内周側側面の上端部の対向する２カ所に、内フランジ状の内延設部８６が内周側に延設されている。内延設部８６の下面には、図９（ａ）で示すように、複数列設された三角条の一の谷部からなるクリック位置決め凹部８８が列設されている。内延設部８６の内周側の端面は、円筒軸７０の外周と同一の円周上に配置されており、円筒軸７０の外周と当接して回動可能に支持する第３の摺動面８７（ラジアル摺動面）となる。
【００６４】
受皿ホルダ押さえ具９０は、図５で示すように、受皿ホルダ８０を遊技媒体回収装置１０のフレーム１０ｄに取り付けるための部材である。受皿ホルダ押さえ具９０は、例えばポリアミド樹脂製であって、図５，８で示すように、長方形板状の基部９１と、基部９１の対向する端辺から上方に延設される一対の腕部９２と、腕部９２の先端に形成される係合フック９２ａと、により主に構成される。基部９１の上面には、図５，８で示すように、搬送ベルト１０ｃが垂れ下がることにより基部９１の上面と接触した際に、基部９１の上面と搬送ベルト１０ｃとの間の摩擦を軽減するための凸条９１ａが搬送方向に沿って形成される。受皿ホルダ押さえ具９０は、基部９１と一対の腕部９２により上方に開口した断面コの字形に形成され、図５で示すように、遊技媒体回収装置１０のフレーム１０ｄに下方から跨って配設することができる。
【００６５】
上記のように構成される第２の流下装置１１Ａの設置方法について説明する。最初に作業者は、回収シュート２０の上部シュート２１を膳板６に取り付ける（図１０参照）。スロットマシン２筐体下面に設けられた落下口の直下には、膳板６を長方形状に切り抜いて形成された開口が形成されている。作業者は、この開口に上部シュート２１を嵌合した状態で膳板取付部２７の内側からねじ止めして、上部シュート２１と膳板６を固定する。
【００６６】
次いで、回収シュート２０を組み立てる。作業者は、上部シュート２１の矩形筒体２２の下端部を下部シュート３１のジョイント部３７に挿入しつつ軸受腕片３７ａを外側に弾性変形させて、上部シュート２１の軸３０を下部シュート３１の軸受孔３７ｄに挿入し、上部シュート２１と下部シュート３１を連結する。このようにして組み立てられた回収シュート２０は、上部シュート２１に対し下部シュート３１を図６の矢印の方向すなわち鉛直方向に回動することができる。
【００６７】
次いで、遊技媒体回収装置１０の第１回収ライン１０Ａに回収受皿６０を取り付ける。作業者は、回収受皿６０を取り付けるのに際し、最初に受皿ホルダ８０を第１回収ライン１０Ａに取り付ける。作業者は、第１回収ライン１０Ａ上の回収シュート２０の裏面側を正面に捉えられる位置に、フレーム１０ｄの上方から跨いで受皿ホルダ８０を配設する（図５，１０参照）。次いで、フレーム１０ｄの下方から跨いで受皿ホルダ押さえ具９０を配設し、受皿ホルダ８０の嵌合孔８２ａに係合フック９２ａを嵌合すると共に受皿ホルダ８０の取付鍔部８２ｂに係合フック９２ａを係合する。受皿ホルダ８０を、ねじ止め等の固定をすることなく第１回収ライン１０Ａに取り付けることができるので、受皿ホルダ８０は、第１回収ライン１０Ａ上を摺動可能に配設される。よって、受皿ホルダ８０の取り付け位置の調整が容易となる。
【００６８】
次いで、回収受皿６０の受皿本体６１を受皿ホルダ８０に取り付ける。作業者は、図８で示すように、受皿本体６１から下方に延設された円筒軸７０の下端を、受皿ホルダ８０の内延設部８６と円筒軸７０の外延設部７３が衝突しないように角度を合わせて降下させて、円筒軸７０の下端面と受皿ホルダ８０の第１の摺動面８３（スラスト摺動面）とを当接させる。円筒軸７０の下端には、円筒軸７０の下面及び外延設部７３の下面が配置されており、これらの面が第１の摺動面８３（スラスト摺動面）と当接して鉛直方向に対して回動可能に支持された状態となる。また、外延設部７３の外周側端面は、第２の摺動面８５に当接して支持され、更に、円筒軸７０の外周は第３の摺動面８７と当接して支持された状態となる。
【００６９】
この状態において、円筒軸７０の上端に位置する流下口６３は、第１回収ライン１０Ａの直上に配置されており、受皿本体６１は流下口６３を中心として水平方向に回動可能に支持することができる。
【００７０】
次いで作業者は、受皿本体６１を水平方向に回動して位置決めをする。作業者は、スロットマシン２の方面、正確には膳板６に固定された回収シュート２０の裏面側を正面に捉えられる方角に、受皿本体６１の受皿部６２の上り側の側端部が向くように受皿本体６１を回動すればよい。作業者が、受皿本体６１と共に円筒軸７０を水平方向に回動させると、受皿ホルダ８０の内延設部８６と第１の摺動面８３との間に形成した隙間に、円筒軸７０の外延設部７３を水平方向から侵入させて、受皿ホルダ８０から受皿本体６１が脱落することを防止する。更に円筒軸７０を回動させると、図９（ｂ）に示すように、外延設部７３に続いてクリック位置決め凸部７１が隙間に侵入し、内延設部８６の下面に設けられた一のクリック位置決め凹部８８と係合する。クリック位置決め凸部７１と一のクリック位置決め凹部８８が係合している状態であっても、円筒軸７０を回動する付勢力を加えれば、クリック位置決め凸部７１が弾性変形して回動可能となり係合するクリック位置決め凹部８８を変更することができる。作業者は、受皿本体６１の受皿部６２の上り側の側端部が、回収シュート２０の裏面側を正面に捉えられる方角に向くまで円筒軸７０を回動する付勢力を加える。
【００７１】
このように、スロットマシン２と遊技媒体回収装置１０の位置関係によらず受皿本体６１の受皿部６２をスロットマシン２方面に向けることができるため、回収コンベアの配置の自由度を高めにことができる。また、上部シュート２１から受皿ホルダ８０までを剛体で接続することができるので、スロットマシン２から遊技媒体回収装置１０までの流下ルートに生じる水平方向の湾曲部位を減少してメダル詰まりの発生を抑制することができる。
【００７２】
なお、回収シュート２０から回収受皿６０までのメダルの上下方向の流下角度が浅くなると予想される場合には、受皿部６２の上り側の側端部に取り付けられた側壁６４を受皿本体６１から取り外すことができる（図８参照）。図１０において図示した回収受皿６０は、受皿本体６１から側壁６４を取り外している。
【００７３】
次いで、回収シュート２０を延長する延長シュート４０を取り付ける。作業員は、回収シュート２０の下部シュート３１を鉛直方向に回動して回収受皿６０に向け、下部シュート３１の下端部から回収受皿６０までの距離を測定し、必要な数（例えば３個）の延長シュート４０を用意する。作業員は、延長シュート４０の連結係合開口４４ａを他の延長シュート連結係合凸部４４ｃに係合して３個の延長シュート４０を連結する。
【００７４】
次いで、図１０に示すように、連結された延長シュート４０の下端部を受皿部６２の上り側の側端部に載置した状態で、回収シュート２０の下部シュート３１を鉛直方向に回動して遊技媒体回収装置１０側に向け、下部シュート３１の連結係合凸部３５ｂに延長シュート４０の連結係合開口４４ａを係合して連結する。
【００７５】
このように、スロットマシン２と遊技媒体回収装置１０の位置関係によらず回収シュート２０の下部シュート３１を遊技媒体回収装置１０方面に向けることができるため、スロットマシン２から遊技媒体回収装置１０までの流下ルートに剛体を用いることができ、鉛直方向の湾曲部位を減少してメダル詰まりの発生を抑制することができる。
【００７６】
以上で第２の流下装置１１Ａの設置は終了であるため、設置時間の大幅な短縮と設置作業の容易化を図ることができる。
【００７７】
なお、第２の流下装置１１Ａにおいては回収シュート２０を延長する延長シュート４０を３個連結して取り付けた実施形態を示したが、延長シュート４０は下部シュート３１の下端部から回収受皿６０までの距離が近い場合には、延長シュート４０を取り付けることを要しない。図１における第２の流下装置１１Ｂは、図１１で示すように、延長シュート４０を連結していない。回収シュート２０の下部シュート３１を鉛直方向に回動して、下端部を受皿部６２の上り側の側端部に載置すればよい。なお、第２の流下装置１１Ｃは延長シュート４０を２個連結して継ぎ足し、第２の流下装置１１Ｄは延長シュート４０を４個連結して継ぎ足したものである。
【００７８】
このように、この発明の回収受皿６０及び遊技媒体循環システム４によれば、遊技媒体使用機（スロットマシン２,メダル貸出機３）と遊技媒体回収装置１０の位置関係によらずメダルが円滑に流下する流下ルートを構築することができる。
【００７９】
なお、上述した実施形態においては、受皿本体６１と受皿ホルダ８０の取り付け構造を、円筒軸７０の下端が第１の摺動面８３（ラジアル摺動面）と当接した状態で円筒軸７０を回動させ、受皿ホルダ８０の内延設部８６と第１の摺動面８３との間に生じる隙間に、外延設部７３及びクリック位置決め凸部７１を水平方向から侵入させて内延設部８６の下面のクリック位置決め凹部８８に係合するものであったが、例えば図１２で示すように、回収受皿６０Ａの円筒軸７０Ａに内周を一周する係合溝７４を形成し、受け皿ホルダ８０Ａの落下口８１ａの周縁から上方に立設された係合フック８１ｂを係合する構成であってもよい（その他の実施形態）。このように回収受皿６０Ａを構成しても、受皿本体６１を水平方向に回動可能に支持することができる。
【００８０】
また、図１３で示すように、回収受皿６０Ｂの円筒軸７０Ｂに、外周を一周する第１の段部７５と、第１の段部７５の直下かつ円筒軸７０Ｂの下端に段差を設けた第２の段部７６を形成し、受皿ホルダ８０Ｂの落下口８１ａの周縁に第１の段部７５を係合させ、環状部材７７を第２の段部７６の外周に固定する構成であってもよい（その他の実施形態）。このように回収受皿６０Ｂを構成しても、受皿本体６１を水平方向に回動可能に支持することができる。
【００８１】
また、図１４で示すように、円筒軸７０Ｃの下端部に矢印の方向、すなわち下方にスリーブ７８を下降させることにより、内周側に配置された移動係脱部材７９を内周側に押し出し、受皿ホルダ８０Ｃの落下口８１ａの周縁から上方に立設されたスロート部８１ｃの外周に係合させる構成であってもよい（その他の実施形態）。このように回収受皿６０Ｃを構成しても、受皿本体６１を水平方向に回動可能に支持することができる。
【００８２】
なお、上述した実施形態において、第２の流下装置１１Ａにおいては流下するメダルを下部シュート３１により中継したが、上部シュート２１のみであってもよい。例えば図１５で示すように、第２の流下装置１１Ｅにおいては、スロットマシン２から第１回収ライン１０Ａに向けて流下するメダルを上部シュート２１で中継し、上部シュート２１の第１の排出口２１ｂから流下するメダルを回収受皿６０により中継する（その他の実施形態）。このように構成すれば、スロットマシン２と遊技媒体回収装置１０の位置関係が極めて近い場合であってもメダルを円滑に流下することができる。この場合、回収シュートから回収受皿までのメダルの流下角度が急になるので、受皿部６２の上り側の側端部に側壁６４を取り付け、受皿部６２の上り側の側端部からメダルが飛び出すのを防止している。
【００８３】
本発明は上記の実施形態及び実施例の例示に限定されるものでなく、特許請求の範囲の技術的範囲には、発明の要旨を逸脱しない範囲内で種々、設計変更した形態が含まれる。
【符号の説明】
【００８４】
１  遊技機島
２  スロットマシン（遊技媒体使用機）
３  メダル貸出機（遊技媒体使用機）
４  遊技媒体循環システム
７  貯留タンク
８  遊技媒体補給装置
９  第１の流下装置
１０  遊技媒体回収装置
１１Ａ，１１Ｂ，１１Ｃ，１１Ｄ，１１Ｅ  第２の流下装置
６０，６０Ａ，６０Ｂ，６０Ｃ  回収受皿
６１  受皿本体
６２  受皿部
６２ａ  傾斜面
６３  流下口
６４，６５，６６，６７  側壁
７０，７０Ａ，７０Ｂ，７０Ｃ  円筒軸
７１  クリック位置決め凸部
８０，８０Ａ，８０Ｂ，８０Ｃ  受皿ホルダ
８１ａ  落下口
８８  クリック位置決め凹部
【図１】
2018089052.tif 000003
【図２】
2018089052.tif 000004
【図３】
2018089052.tif 000005
【図４】
2018089052.tif 000006
【図５】
2018089052.tif 000007
【図６】
2018089052.tif 000008
【図７】
2018089052.tif 000009
【図８】
2018089052.tif 000010
【図９】
2018089052.tif 000011
【図１０】
2018089052.tif 000012
【図１１】
2018089052.tif 000013
【図１２】
2018089052.tif 000014
【図１３】
2018089052.tif 000015
【図１４】
2018089052.tif 000016
【図１５】
2018089052.tif 000017